【手続補正書】
【提出日】平成21年7月17日(2009.7.17)
【手続補正１】
【補正対象書類名】明細書
【補正対象項目名】全文
【補正方法】変更
【補正の内容】
【書類名】        明細書
【発明の名称】    マッサージ機能付ハンドシャワ
【特許請求の範囲】
【請求項１】  供給流路に連通する導入孔を有し、ヘッドの前面に設けた吐水用の開口部内に固定設置された固定ディスクと、中央部およびその外周部にそれぞれ多数のマッサージ用吐水孔およびシャワ用吐水孔を有し、前記開口部を覆う状態で回転自在に構成され、それによって、シャワ状態とマッサージ状態の切替えを行うためのシャワ板と、一方に開口を有する有底筒状で、底部に前記マッサージ状態において前記導入孔に整合されるマッサージ用の孔を有し、前記固定ディスク上に回動自在に載置される弁座部材とを備え、更に、前記弁座部材内に、前記供給流路を渦巻流路に変換する渦巻翼と、前記渦巻流路によって一方向に回転しながら前記シャワ板の前記マッサージ用吐水孔から吐水させる羽根車とを嵌挿させた状態で、前記弁座部材を前記シャワ板の裏面に係止する一方、前記羽根車に、前記渦巻流路を前記シャワ板の前記マッサージ用吐水孔に連通させる連通孔を形成してあることを特徴とするマッサージ機能付ハンドシャワ。
【請求項２】  前記渦巻翼は前記弁座部材に係止される一方、前記羽根車は、前記渦巻翼および前記シャワ板の裏面間において前記渦巻翼およびシャワ板のいずれとも非接触の状態で、前記渦巻流路によって一方向に自由回転可能に設置されている請求項１に記載のマッサージ機能付ハンドシャワ。
【請求項３】  湯水混合水栓にホースを介して接続される前記ヘッドに止水弁を内蔵し、この止水弁をボタン操作で吐水、止水状態に切換え可能に構成してあるとともに、前記湯水混合水栓およびホース間に調圧弁を接続して前記止水弁による止水時における一次側の圧力上昇を低減するように構成され、止水時において一次側の圧力が上昇すると、調圧弁等の異常を警告すべく警告音を発生する警告弁を収容する警告弁収容部を設けてある請求項１または請求項２に記載のマッサージ機能付ハンドシャワ。
【発明の詳細な説明】
【０００１】
【発明の属する技術分野】
この発明は、シャワ状態とマッサージ状態の切替えをシャワ板の回転操作によって行えるマッサージ機能付ハンドシャワに関するものである。
【０００２】
【従来の技術】
この種のハンドシャワは、マッサージ状態に切替え操作すると、シャワ板のマッサージ用吐水孔から吐水するものである。
【０００３】
【発明が解決しようとする課題】
しかし、シャワ状態とマッサージ状態の切替えをシャワ板の回転操作によって行うため複雑な構成を採用せざるをえなかった。
【０００４】
【０００５】
この発明は、簡易な構成でシャワ状態とマッサージ状態の切替えをシャワ板の回転操作によって行えるマッサージ機能付ハンドシャワを提供することを目的とする。  
【０００６】
【課題を解決するための手段】
上記目的を達成するために、この発明のマッサージ機能付ハンドシャワは、供給流路に連通する導入孔を有し、ヘッドの前面に設けた吐水用の開口部内に固定設置された固定ディスクと、中央部およびその外周部にそれぞれ多数のマッサージ用吐水孔およびシャワ用吐水孔を有し、前記開口部を覆う状態で回転自在に構成され、それによって、シャワ状態とマッサージ状態の切替えを行うためのシャワ板と、一方に開口を有する有底筒状で、底部に前記マッサージ状態において前記導入孔に整合されるマッサージ用の孔を有し、前記固定ディスク上に回動自在に載置される弁座部材とを備え、更に、前記弁座部材内に、前記供給流路を渦巻流路に変換する渦巻翼と、前記渦巻流路によって一方向に回転しながら前記シャワ板の前記マッサージ用吐水孔から吐水させる羽根車とを嵌挿させた状態で、前記弁座部材を前記シャワ板の裏面に係止する一方、前記羽根車に、前記渦巻流路を前記シャワ板の前記マッサージ用吐水孔に連通させる連通孔を形成してある。
【０００７】
【発明の実施の形態】
以下にこの発明の実施の形態について説明する。なお、この発明はそれによって限定されるものではない。
【０００８】
図１〜図８は、この発明の一実施形態を示す。まず、図１において、１は湯水混合水栓、２は、湯水混合水栓１にホース６を介して接続されるヘッド３に内蔵した止水弁（特願平１０−６４１３８号の明細書および図面参照）をヘッド３に設けたボタン４の切換え操作で吐水、止水ができる樹脂製の止水機構およびマッサージ機能付ハンドシャワ（以下、単にハンドシャワという）、５は、ボタン４で止水してもホース６が外れたり破損しないように、湯水混合水栓１の湯水取り出し口１ｃに回動可能に設けた側面視形状が略Ｌ字形のシャワ用継手７およびホース６間に接続される調圧弁である。
【０００９】
湯水混合水栓１は、給湯配管、給水配管から流入される湯、水を適宜混合して流量調整および湯温調整機能を持つシングルレバー８の操作によって湯水を適当な割合で混合し、ハンドシャワ２・カラン９切換用のバルブ１０を操作して所望の温水をハンドシャワ２の後述するシャワ板１２あるいはカラン９の吐水口１３から吐出させるよう構成されている。
【００１０】
なお、１ａは、湯水混合水栓１の湯流入口１４および前記給湯配管間に設置されて湯流路を形成する給湯側偏心管、１ｂは、湯水混合水栓１の水流入口１５および前記給水配管間に設置されて水流路を形成する給水側偏心管である。
【００１１】
以下、この発明の特徴的構成について説明する。
図１〜図８において、２１は、前記ヘッド３の前面に設けた吐水用の開口部で、平面視円形のヘッド口部２２によって形成されている。このヘッド口部２２は、外周面に、手前側から順に（ヘッド３の前面から後面に向かって）、９０°の円周角θを有する規制溝２３と、Ｏリング２４ａ用の環状溝２４と、リング状のロックハンドル２５が装着される凹所２６を有する。
【００１２】
前記シャワ板１２は、平面視円形の蓋前板２８およびこの蓋前板２８の周縁から垂下する周壁２９から構成され、この周壁２９と蓋前板２８との境目の内周面に、前記規制溝２３上を摺接可能に案内される規制爪３０を有する。そして、規制爪３０が規制溝２３上において図３（Ａ）に示すような位置にあるときはマッサージ状態であり、規制爪３０が９０°だけ反対側に位置するようにシャワ板１２を回動させるとシャワ状態となる。要は、シャワ板１２はシャワ状態とマッサージ状態の切替えを行う切替ハンドルの役目を兼用している。また、シャワ板１２は、ロックハンドル２５によって前記ヘッド３の前面にシャワ状態とマッサージ状態の切替えが可能なように固定されている。
【００１３】
更に、蓋前板２８は、前面の中央に凹所３１を有し、この凹所３１の外周部に全周にわたり多数のシャワ用吐水孔３３を有する一方、前記凹所３１内に、例えば四個のマッサージ用の孔３２で一組の孔部３２ａを１２０°間隔で三組有する。なお、符号Ｑは、凹所３１の中央部を示す。
【００１４】
また、蓋前板２８の裏面の前記凹所３１に対応する位置には、後述する平面視円形の羽根車を遊嵌可能に収容するための環状枠３６が形成されている。この環状枠３６の外周面は、Ｏリング３４係止用の環状係止部３５を有する。そして、蓋前板２８の裏側と前記環状枠３６との境目には、後述する平面視円形の弁座部材に設けた左右一対の係止溝３７，３７に係合する係止爪３８，３８が形成されている。更に、蓋前板２８の裏面の前記中央部Ｑに対応する位置には、凹状の軸受け部１００が形成されている。
【００１５】
一方、前記リング状のロックハンドル２５は、ヘッド口部２２の前記凹所２６に装着するにあたり径を広げるために縦の方向に切り込みを有する。
【００１６】
４５は、ヘッド３の前面に設けた前記開口部２１内に固定設置された固定ディスクである。この固定ディスク４５は、一方に開口２０を有する有底筒状で、ヘッド３に設けた流通孔５１を介して供給流路Ｓ（図５参照）に連通する一対の導入孔４６，４６を有する。また、５３，５３は、一対の位置決め用の爪で、ヘッド３の内周面に形成された縦案内溝５４，５４に係合している。５０は、ヘッド３の前記流通孔５１を形成する部分５２と固定ディスク４５間に介挿され固定ディスクをヘッド３の前面側に付勢するスプリングで、前記固定ディスク４５は、スプリング５０によって付勢された状態で、周壁４９に形成された環状溝４７に嵌め込まれたＯリング４８を介して前記開口部２１内に設置されている。
【００１７】
５９は、弁座部材で、図６および図５にその詳細が示されている。弁座部材５９は、一方に開口６０を有する有底筒状で、底部６１に前記マッサージ状態において前記導入孔４６，４６に整合される一対のマッサージ用の孔６２，６２〔図６（Ａ）参照〕をそれぞれ周面５９ａ側に片寄らせながら一直線上に有し、底部６１の下面６１ａにおける前記マッサージ用の孔６２，６２のそれぞれのまわりに弁座としてのＯリング６３，６３を有する。一方、底部６１の上面６１ｂにおけるマッサージ用の孔６２，６２を結ぶ直線を９０°回転した位置で、前記周面５９ａとの境目に一対の突起６４，６４が形成されている。また上述したように、一対の係止溝３７，３７が開口６０の端面６０ａに形成されている。６５は、周面５９ａに設けた段差部である。
【００１８】
このように構成された前記弁座部材５９は、前記固定ディスク４５上に摺動自在に載置されている。
【００１９】
６６は、渦巻翼で、図７および図５にその詳細が示されている。渦巻翼６６は、前記弁座部材５９内に嵌挿され、かつ、後述する係止手段（弁座部材５９に設けた前記一対の突起６４，６４を含む）によって係止されるもので、筒状の側壁６７と、後述する羽根車の回転中心軸に差し込まれた同軸の状態で、羽根車の回転を支持する中心支持軸部６８と、この軸部６８のまわりに点対象に位置する一対の翼部７０，７０と、前記弁座部材５９の底部６１に形成された前記一対の突起６４，６４に係合する一対の溝７１，７１または一対の溝７２，７２を備えている。なお、前記側壁６７の外径および内径は、シャワ板１２の前記環状枠３６の外径および内径と略同一に設定されている。すなわち、渦巻翼６６を環状枠３６に重ねたときは、渦巻翼６６の側壁６７の上端面６７ｂがシャワ板１２の環状枠３６内に収容されずに環状枠３６の下端面３６ｃに当接する構成を採用している。そして、この環状枠３６内には、後述する羽根車が収容される構成を採用している。
【００２０】
更に、前記一対の溝７１，７１と前記一対の溝７２，７２とは、側壁６７の下端面６７ａに溝７１，７１を結ぶ線と溝７２，７２を結ぶ線とが９０°をなすように設けられている。また、前記中心支持軸部６８は、側壁６７の上端面６７ｂよりも長さｄだけ突出した小径の差し込み軸６８ａと、後述する羽根車の回転中心軸を支持する大径の支持軸６８ｂとよりなる。
【００２１】
また、翼部７０，７０は、それぞれ互いに異なる傾きを持った状態で前記支持軸６８ｂにおいて交叉することなく配置され、側壁６７の直径方向に沿う形で渦流出口７３，７４が形成されている。  
【００２２】
このように構成された前記渦巻翼６６は、前記弁座部材５９内に嵌挿され、かつ、前記溝７１，７１または前記溝７２，７２を弁座部材５９に設けた前記突起６４，６４に係止することで弁座部材５９内に固定される。そして、シャワ板１２がマッサージ状態に切替えられているときは、前記供給流路Ｓはこれが渦流出口７３および７４を経た後は、図５に示すように、それぞれ渦巻流路ＲおよびＲ’に変換される。すなわち、渦流出口７３および７４を経たいずれの渦巻も同じ一方向、例えば反時計方向に流れる。なお、前記溝７１，７１、７２，７２および突起６４，６４から前記係止手段が構成されている。
【００２３】
７５は、羽根車で、図８および図５にその詳細が示されている。羽根車７５は、筒状の側壁８０と、渦巻翼６６の前記中心支持軸部６８によって回転可能に支持される回転中心軸部８１と、側壁８０の内周面８２から９０°間隔で回転中心軸部８１の手前まで延設された４枚の羽根８３，８４，８５，８６と、上端面８７側に対向する２つの連通孔９０，９１を残して側壁８０によって形成される上方開口８８を覆う平面視略Ｈ形状の覆い板部８９とよりなる。２つの連通孔９０，９１にはそれぞれ前記２枚の羽根８３，８５が位置している。
【００２４】
更に、前記側壁８０の外径は、シャワ板１２の前記環状枠３６の内径（渦巻翼６６の側壁６７の内径）よりも小さく設定されている。
【００２５】
また、前記回転中心軸部８１は、覆い板部８９の上端面８９ａよりも長さＤだけ突出した小径の回転軸８１ａと、前記差し込み軸６８ａが差し込まれる差込孔９３を有する支持軸８１ｂとよりなる。前記回転軸８１ａの先端は、シャワ板１２の蓋前板２８の裏面に形成された軸受け部１００に当接する。
【００２６】
これにより、前記羽根車７５は、前記渦巻翼６６および前記シャワ板１２の裏面間において前記渦巻翼６６およびシャワ板１２のいずれとも非接触の状態で回転可能である。
【００２７】
すなわち、前記渦巻流路ＲおよびＲ’の渦巻が羽根車７５の４枚の羽根８３，８４，８５，８６に当たり続けることで羽根車７５が回転中心軸部８１のまわりを勢いよく回転するとともに、この間に、前記連通孔９０，９１を介してシャワ板１２の前記マッサージ用吐水孔３２から吐水する。
【００２８】
【００２９】
また、ロックハンドル２５によるロックを解除するだけでシャワ板１２を容易に取り外しできるとともに、シャワ板１２の裏面を清掃できる。
【００３０】
図９は、羽根車７５に３つの連通孔９０，９１，１０１を設けて羽根車７５を更にバランスよく回転し続けるように構成したこの発明の他の実施形態を示す。なお、図９において、図１〜図８に示した符号と同一のものは、同一または相当物である。
【００３１】
図９において、側壁８０の上方開口８８を覆う覆い板部８９’には、１２０°間隔で回転軸８１ａのまわりに３つの連通孔９０，９１，１０１が形成されている。また、これら連通孔９０，９１，１０１内には３枚の羽根８３，８５，１０２が位置するとともに、覆い板部８９’の直下には３枚の羽根１０３，１０４，１０５が位置している。
【００３２】
なお、図１、図２において、この発明のハンドシャワ２は、前記湯水混合水栓１およびホース６間に調圧弁５を接続して止水弁による止水時における一次側の圧力上昇を低減するように構成されており、止水時において一次側の圧力が上昇すると、調圧弁５等の異常を警告すべく警告音を発生する警告弁１１０を収容する警告弁収容部１１１が設けられている（特願平１０−６４１３８号の明細書および図面参照）。警告弁１１０は、ボール１１２とスプリング１１３よりなる。そして、前記警告音の発生により、調圧弁５の異常およびユーザーによる調圧弁５の施工の間違いをユーザーに通知・確認させることができる。  
【００３３】
【発明の効果】
以上説明したようにこの発明は、簡易な構成でシャワ状態とマッサージ状態の切替えをシャワ板の回転操作によって行えるマッサージ機能付ハンドシャワを提供できる効果がある。
【図面の簡単な説明】
【図１】  
この発明の一実施形態のハンドシャワの使用の状態を示す斜視図である。  
【図２】  
上記実施形態におけるヘッドの内部を示す構成説明図である。
【図３】  
（Ａ）は、上記実施形態で用いたシャワ板回転操作によるシャワ状態とマッサージ状態の切替えを説明するための図である。
（Ｂ）は、上記実施形態で用いたシャワ板の正面図である。
【図４】  
（Ａ）は、上記実施形態におけるシャワ状態を説明するための図である。
（Ｂ）は、上記実施形態におけるマッサージ状態を説明するための図である。
【図５】  
上記実施形態における全体分解斜視図である。
【図６】  
（Ａ）は、上記実施形態で用いた弁座部材の平面図である。
（Ｂ）は、上記実施形態で用いた弁座部材の縦断面図である。
（Ｃ）は、上記実施形態で用いた弁座部材の底面図である。
【図７】  
（Ａ）は、上記実施形態で用いた渦巻翼の平面図である。
（Ｂ）は、上記実施形態で用いた渦巻翼の縦断面図である。
（Ｃ）は、上記実施形態で用いた渦巻翼の底面図である。
【図８】  
（Ａ）は、上記実施形態で用いた羽根車の平面図である。
（Ｂ）は、上記実施形態で用いた羽根車の縦断面図である。
（Ｃ）は、上記実施形態で用いた羽根車の底面図である。
【図９】  
この発明の他の実施形態で用いた羽根車の平面図である。
【符号の説明】
１２…シャワ板、２１…吐水用の開口部、２２…ヘッド口部、３２…マッサージ用の孔、３３…シャワ用吐水孔、４５…固定ディスク、４６…導入孔、５９…弁座部材、６０…開口、６６…渦巻翼、７０，７０…翼部、７３，７４…渦流出口、７５…羽根車、９０，９１…連通孔、Ｓ…供給流路、Ｒ…渦巻流路。